(57)【要約】【課題】ノイズの影響を抑制してタッチパネルへの接触の誤検知を防止することが可能であるとともに、迅速かつ確実に接触を検知することが可能な表示端末を提供する。【解決手段】表示端末は、二つのタッチパネル（タッチパネル１、タッチパネル２）と、其々への物体の接触を検知するためのコントローラ（コントローラ２６、コントローラ２７）とを備えている。ここでＣＰＵ２１は、表示装置５からの表示を制御する表示装置Ｉ／Ｆ２５の水平同期信号発生回路４１と垂直同期信号発生回路４２とから出力される信号より、表示装置５の表示領域における走査位置を判断する。そして、走査位置に配置されているタッチパネルからの接触検知情報は無効とする。これにより、走査位置に発生する電磁ノイズがタッチパネルの接触検知に影響を及ぼす影響を排除することが可能となる。【選択図】図４
2010002946.tif 000002
【特許請求の範囲】
【請求項１】
表示部と、
前記表示部の表示領域に設けられた表示素子の物理特性を変化させて像を形成させるために、当該表示領域を走査する走査手段と、
前記表示部の表示領域に複数並べて配置されるタッチパネルと、
前記タッチパネルへの接触を検知する検知手段と、
前記表示部の表示領域に配置された複数の前記タッチパネルのうち、前記走査手段による走査位置に配置されているタッチパネルである走査位置タッチパネルを特定するタッチパネル特定手段と、
前記検知手段による前記タッチパネルへの接触の検知の有効／無効を切り替える切替手段であって、前記タッチパネル特定手段にて特定された走査位置タッチパネルへの接触の検知を無効とし、当該走査位置タッチパネルを除くタッチパネルのうち少なくとも一つへの接触の検知を有効とする切替手段と
を備えたことを特徴とする表示端末。
【請求項２】
前記走査手段により、主走査方向と副走査方向とに走査が実行される場合において、
前記タッチパネルは、
前記表示部の表示領域を前記主走査方向と平行方向に分割した形状を有しており、前記副走査方向と平行方向に並べて配置されていることを特徴とする請求項１に記載の表示端末。
【請求項３】
前記走査手段にて走査が実行されて走査位置が移動することに伴い、前記走査位置タッチパネルが一のタッチパネルから他のタッチパネルに切り替わる場合において、切り替わるタイミングからの経過時間を計測する経過時間計測手段を備え、
前記切替手段は、
前記経過時間計測手段にて計測される経過時間が所定時間となるまでの期間は、前記一のタッチパネルへの接触の検知を無効とし、経過時間が所定時間となった場合に、当該一のタッチパネルへの接触の検知を有効とすることを特徴とする請求項１又は２に記載の表示端末。
【請求項４】
前記表示部は、表示内容の更新時にのみ走査を必要とする不揮発性表示部であり、
前記タッチパネルにて接触を検知した場合において、接触を検知した部分に設けられている前記不揮発性表示部の表示素子の物理特性を変化させて像を形成させるために走査を行う更新走査手段を備え、
前記切替手段は、
前記更新走査手段にて走査が実行されている場合において、前記検知手段による前記タッチパネルへの接触の検知の有効／無効を切り替えることを特徴とする請求項１乃至３のいずれかに記載の表示端末。
【発明の詳細な説明】
【技術分野】
【０００１】
本発明は表示端末に関する。そしてより詳細には、複数のタッチパネルを有し、走査位置に基づいて、タッチパネルへの接触の検知の有効／無効を切替える制御を行う表示端末に関する。
【背景技術】
【０００２】
従前より、ＬＣＤ（Ｌｉｑｕｉｄ  Ｃｒｙｓｔａｌ  Ｄｉｓｐｌａｙ）、有機ＥＬ（Ｅｌｅｃｔｒｏｌｕｍｉｎｅｓｃｅｎｃｅ）ディスプレイ等が、表示装置として一般的に使用されている。これらの表示装置は、表示領域に設けられた表示素子に電圧を印加してその物理特性を変化させることによって、表示領域に所望の像を形成させている。さらに、ユーザインタフェースとして表示領域にタッチパネルを備えた表示装置が、携帯表示端末等に広く採用されている。
【０００３】
表示素子に電圧を印加して像を形成させる場合、電圧印加部分に電圧変位に伴う電磁ノイズが発生する。そしてこの電磁ノイズによりタッチパネルが誤動作し、接触検知を誤ってしまう可能性がある。そのため、このような表示装置には一般的に種々のノイズ対策が施される。例えば、ノイズの発生するタイミングと、タッチパネルへの接触の検知のタイミングとが一致しないように制御することで、ノイズの影響を抑制することが可能な情報処理装置が提案されている（特許文献１参照）。
【特許文献１】特開２００６−７９４０５号公報
【発明の開示】
【発明が解決しようとする課題】
【０００４】
しかしながら上述の装置では、ノイズが発生するタイミングの前後では、タッチパネルへの接触検知の処理が全く行われなくなってしまう。このため、ユーザがタッチパネルにタッチしてから装置がタッチパネルへの接触を検知するまでに時間を要してしまったり、装置が接触を検知できなかったりする場合が発生してしまうという問題点があった。
【０００５】
本発明は上述の問題点を解決するためになされたものであり、ノイズをの影響を抑制してタッチパネルへの接触の誤検知を防止することが可能であるとともに、迅速かつ確実に接触を検知することが可能な表示端末を提供することを目的とする。
【課題を解決するための手段】
【０００６】
上記課題を解決するために、請求項１に係る発明の表示端末は、表示部と、前記表示部の表示領域に設けられた表示素子の物理特性を変化させて像を形成させるために、当該表示領域を走査する走査手段と、前記表示部の表示領域に複数並べて配置されるタッチパネルと、前記タッチパネルへの接触を検知する検知手段と、前記表示部の表示領域に配置された複数の前記タッチパネルのうち、前記走査手段による走査位置に配置されているタッチパネルである走査位置タッチパネルを特定するタッチパネル特定手段と、前記検知手段による前記タッチパネルへの接触の検知の有効／無効を切り替える切替手段であって、前記タッチパネル特定手段にて特定された走査位置タッチパネルへの接触の検知を無効とし、当該走査位置タッチパネルを除くタッチパネルのうち少なくとも一つへの接触の検知を有効とする切替手段とを備えている。
【０００７】
また、請求項２に係る発明の表示端末は、請求項１に記載の発明の構成に加えて、前記走査手段により、主走査方向と副走査方向とに走査が実行される場合において、前記タッチパネルは、前記表示部の表示領域を前記主走査方向と平行方向に分割した形状を有しており、前記副走査方向と平行方向に並べて配置されていることを特徴とする。
【０００８】
また、請求項３に係る発明の表示端末は、請求項１又は２に記載の発明の構成に加えて、前記走査手段にて走査が実行されて走査位置が移動することに伴い、前記走査位置タッチパネルが一のタッチパネルから他のタッチパネルに切り替わる場合において、切り替わるタイミングからの経過時間を計測する経過時間計測手段を備え、前記切替手段は、前記経過時間計測手段にて計測される経過時間が所定時間となるまでの期間は、前記一のタッチパネルへの接触の検知を無効とし、経過時間が所定時間となった場合に、当該一のタッチパネルへの接触の検知を有効とすることを特徴とする。
【０００９】
また、請求項４に係る発明の表示端末は、請求項１乃至３のいずれかに記載の発明の構成に加えて、前記表示部は、表示内容の更新時にのみ走査を必要とする不揮発性表示部であり、前記タッチパネルにて接触を検知した場合において、接触を検知した部分に設けられている前記不揮発性表示部の表示素子の物理特性を変化させて像を形成させるために走査を行う更新走査手段を備え、前記切替手段は、前記更新走査手段にて走査が実行されている場合において、前記検知手段による前記タッチパネルへの接触の検知の有効／無効を切り替えることを特徴とする。
【発明の効果】
【００１０】
請求項１に係る発明の表示端末では、表示装置の表示領域のうち、走査されている部分に配置されるタッチパネルによる接触の検知を無効とする。これにより、走査位置に発生する電磁ノイズがタッチパネルへの接触の検知処理に影響を及ぼし、タッチパネルにて接触の誤検知が発生した場合であっても、当該誤検知は無効とされるので、表示端末の動作に影響が及ばないようにすることが可能となる。なお、表示装置の表示領域のうち、走査されていない部分に配置されているタッチパネルへの接触の検知は有効であるので、表示端末は、継続してユーザによるタッチパネルへの接触を検知することが可能となる。
【００１１】
また、請求項２に係る発明の表示端末では、走査部分の移動速度は、主走査方向よりも副走査方向の方が低速であるので、タッチパネルを副走査方向に並べて配置することによって、タッチパネルへの接触の検知の有効／無効を切り替える周期を長く設定できる。これにより、請求項１に記載の発明の効果に加えて、切替手段の処理負荷を軽減することが可能となる。
【００１２】
また、請求項３に係る発明の表示端末では、走査位置が特定のタッチパネル（一のタッチパネル）から隣接するタッチパネル（他のタッチパネル）に移動した場合において、移動タイミングから一定時間の経過後に、一のタッチパネルへの接触の検知を無効から有効に切り替える。一定時間の経過により、走査位置は一のタッチパネルから離れた場所に移動するので、請求項１又は２に記載の発明の効果に加えて、走査位置に発生する電磁ノイズが、接触検知を有効とした一のタッチパネルに及ぼす影響を抑制することが可能となる。
【００１３】
また、請求項４に係る発明の表示端末では、表示部が、電力の供給が断たれても表示内容を保持する特性を有する不揮発性表示部であり、表示部に配置されたタッチパネルにスタイラス等で触れることにより、接触部に像が形成されるような機能を有している表示端末場合を想定する。不揮発性表示部は、表示内容の書き替え時にのみ走査を行えば、表示素子の物理特性が変化されて表示内容を書き替えることが可能となるので、この走査時において、走査位置タッチパネルへの接触の検知を無効とし、当該走査位置タッチパネルを除くタッチパネルのうち少なくとも一つへの接触への検知を有効とする制御を行う。これにより、請求項１乃至３のいずれかに記載の発明の効果に加えて、走査位置に発生する電磁ノイズがタッチパネルへの接触の検知処理に影響を及ぼし、タッチパネルにて接触の誤検知が発生した場合であっても、当該誤検知は無効とされるので、表示端末の動作に影響が及ばないようにすることが可能となる。
【発明を実施するための最良の形態】
【００１４】
以下、本発明を具体化した表示端末について、図面を参照して説明する。なお、これらの図面は、本発明が採用しうる技術的特徴を説明するために用いられるものであり、記載されている装置の構成、各種処理のフローチャートなどは、特に特定的な記載がない限り、それのみに限定する趣旨ではなく、単なる説明例である。
【００１５】
はじめに、図１を参照し、表示端末１０の概要について説明する。図１は、表示端末１０の物理的構成を示す模式図である。なお図１における左右方向を水平方向、上下方向を垂直方向と定義する。
【００１６】
図１に示すように、表示端末１０は、略長方形状の表示領域を有する表示装置５と、表示装置５の表示領域を覆うように設けられたタッチパネル３（タッチパネル１及びタッチパネル２）と、表示端末１０に対して入力操作を行うための入力装置１３及び１４とを備えている。
【００１７】
表示装置５は、その表示領域に、電気状態を変化させることによって物理特性を変化させる周知の表示素子が配置されている。表示素子としては、例えば、液晶素子や有機ＥＬ（Ｅｌｅｃｔｒｏｌｕｍｉｎｅｃｓｅｎｃｅ）素子等が挙げられる。そして、これらの表示素子に対して、水平方向を主走査方向、垂直方向を副走査方向として順番に走査し、電気状態を順番に変化させることにより、表示素子の物理特性を変化させる。これにより、表示領域に所望の像を形成させることが可能となっている。例えば、表示素子として液晶素子が採用された場合には、電圧を印加することによって液晶素子の偏光状態を変化させ像を形成させる。また、表示素子として有機ＥＬ素子が採用された場合には、電圧を印加することによって有機ＥＬ素子に対して正孔及び電子を注入し、これらを再結合させて発光させることにより像を形成させている。
【００１８】
タッチパネル３を構成するタッチパネル１及びタッチパネル２は、それぞれ、表示装置５の表示領域を水平方向に２等分した形状を有している。そして、上側にタッチパネル１、下側にタッチパネル２が配置されている。タッチパネル１及びタッチパネル２は、物体が表面に接触した場合に、接触位置を検知することが可能なパネルである。表示端末１０は、表示装置５に表示させた像と、タッチパネル１及びタッチパネル２にて検知した接触位置との情報から、ユーザからの入力内容を判断する。
【００１９】
なお、タッチパネルの駆動方式としては特に限定されず、従来公知の駆動方式が使用可能である。例えば、抵抗膜方式や表面弾性波方式が挙げられる。
【００２０】
また、入力装置１３及び入力装置１４は、ユーザによる操作内容を検出可能なスイッチにて構成されており、表示端末１０に対して入力操作を行うために設けられている。スイッチとしては、例えば接触スイッチやタクティルスイッチ等が挙げられる。そして、ユーザが入力装置１３及び入力装置１４を操作することにより、表示装置５の表示領域に表示されている像の切り替え（ページ更新）操作や、表示端末１０への設定操作を行うことが可能となっている。
【００２１】
次に、図２を参照し、表示装置５の表示領域に像を形成させるために実行される走査の概要について説明する。図２は、走査の概要を示す模式図である。
【００２２】
表示装置５の表示領域には、図示しないが、水平方向と垂直方向とに複数の信号線がマトリクス状に形成されている。そして、マトリクス状の信号線にて囲まれた部分には、表示素子に電圧を印加するための画素電極が設けられている。そして、画素電極に隣接する水平方向と垂直方向との両方の信号線に電圧が印加された場合に、当該画素電極と対向電極との間に電圧を印加させることができるように構成されている。なお、水平方向には「ｎ」本の信号線が設けられており、垂直方向には「ｍ」本の信号線が設けられているとする。
【００２３】
表示端末１０では、図２に示すように、特定の水平方向の信号線の電圧をＯＮとした状態で、垂直方向の信号線の電圧を左端から右方に順にＯＮ−ＯＦＦ制御する（「水平方向走査」という。図中矢印３０）。そして制御する垂直方向の信号線が右端に到達した場合には、電圧をＯＮとする水平方向の信号線を一段下に移動させ（「垂直方向走査」という。図中矢印３１）、繰り返し垂直方向の信号線の電圧を左端から右方に順にＯＮ−ＯＦＦ制御する。そして、電圧印加制御が最右下の画素電極まで終了した場合には、最左上に戻り、繰り返し上述の処理を実行する。以上の処理を実行することにより走査を行い、順に表示素子の電気状態を変化させることによって、表示端末１０は、表示装置５の表示領域に所望の像を形成させている。
【００２４】
次に、図３を参照し、表示端末１０の電気的構成について説明する。図３は、表示端末１０の電気的構成を示す模式図である。
【００２５】
図３に示すように、表示端末１０には、全体の制御を司るＣＰＵ２１、ＣＰＵ２１が実行するプログラムや表示端末１０の表示装置５に表示させる表示データ等が記憶されるハードディスク２３、ＣＰＵ２１がプログラムを実行する場合に発生する一時的なデータを記憶するための揮発性記憶素子であるメモリ２２が設けられている。そして、ＣＰＵ２１がハードディスク２３及びメモリ２２の記憶領域にアクセスすることが可能なように、ＣＰＵ２１とハードディスク２３及びメモリ２２とは、バスを介して電気的に接続している。
【００２６】
また表示端末１０には、メモリカード２４が設けられている。メモリカード２４には、表示端末１０の表示装置５に表示させる表示データが記憶されている。そして、ＣＰＵ２１がメモリカード２４の記憶領域にアクセスすることが可能なように、ＣＰＵ２１とメモリカード２４とはバスを介して電気的に接続している。
【００２７】
また表示端末１０には、入力装置１３及び入力装置１４が設けられている。入力装置１３及び入力装置１４は、既述のように、ユーザによる操作内容を検出可能なスイッチにて構成されている。そして、入力装置１３及び入力装置１４に対してなされた操作内容をＣＰＵ２１にて検出することが可能なように、ＣＰＵ２１と入力装置１３、入力装置１４とはＩ／Ｏポート１５及びバスを介して電気的に接続している。
【００２８】
また表示端末１０には、表示装置５及び表示装置インタフェース（「表示装置Ｉ／Ｆ」と略す。）２５が設けられている。表示装置５は、既述のように、その表示領域に、電気状態を変化させることによって物理特性を変化させる表示素子が配置されており、所望の像を表示領域に表示させることが可能となっている。また、表示装置Ｉ／Ｆ２５は、ＣＰＵ２１からの指示に基づき、表示素子への走査を制御して表示装置５の表示領域に所望の像を形成させるために設けられている。そして、ＣＰＵ２１からの指示を受け付けることが可能なように、ＣＰＵ２１と表示装置Ｉ／Ｆ２５とはバスを介して電気的に接続している。また、表示装置Ｉ／Ｆ２５より表示装置５を制御することが可能なように、表示装置Ｉ／Ｆ２５と表示装置５とは電気的に接続している。なお、表示装置Ｉ／Ｆ２５による走査制御の詳細については後述する。
【００２９】
さらに表示端末１０には、カウンタ４０が設けられている。カウンタ４０は、表示装置Ｉ／Ｆ２５からの出力信号（詳細は後述する。）より、表示装置５の表示領域における走査位置（走査により電圧制御が実行されている画素電極の位置）を判断してＣＰＵ２１に通知するために設けられている。そして、表示装置Ｉ／Ｆ２５からの出力信号をカウンタ４０にて検出可能なように、表示装置Ｉ／Ｆ２５とカウンタ４０とは電気的に接続している。また、カウンタ４０からの出力信号をＣＰＵ２１にて検出可能なように、カウンタ４０とＣＰＵ２１とはバスを介して電気的に接続している。
【００３０】
また表示端末１０には、タッチパネル１及びタッチパネル２、並びに、これらを制御するためのタッチパネルコントローラ２６及びタッチパネルコントローラ２７（以下「コントローラ」と略す。）が夫々設けられている。コントローラ２６及びコントローラ２７は、タッチパネル１及びタッチパネル２の表面に物体が接触した場合に、接触位置を検知し、検知位置の情報（「検知位置情報」という。）をＣＰＵ２１に通知するために設けられている。そして、検知位置情報をＣＰＵ２１に通知することが可能なように、ＣＰＵ２１とコントローラ２６及びコントローラ２７とは電気的に接続している。
【００３１】
また表示端末１０には、外部通信インタフェース（「外部通信Ｉ／Ｆ」と略す。）２８が設けられている。外部通信Ｉ／Ｆ２８は、表示端末１０が外部機器と通信を行うことが可能なように設けられた通信モジュールである。外部通信Ｉ／Ｆ２８は、外部機器との通信の方式に応じて種々のデバイスを使用することが可能である。例えば、表示端末１０がＵＳＢケーブルを介して外部機器と通信を行う場合には、外部通信Ｉ／Ｆ２８としてＵＳＢコントローラが使用され、表示端末が無線通信を行う場合には、外部通信Ｉ／Ｆ２８としてＲＦモジュールが使用される。
【００３２】
次に、図４及び図５を参照して、走査位置判断方法及びタッチパネルの有効／無効切替方法について説明する。図４は、ＣＰＵ２１、表示装置Ｉ／Ｆ２５、カウンタ４０、タッチパネル１及びタッチパネル２の間の電気的接続状態を示す模式図であり、図５は、タッチパネル１及びタッチパネル２の有効／無効が切り替わる場合のタイミングチャートである。
【００３３】
なお、図５における水平同期信号の信号パターンは、水平同期信号発生回路４１（図４参照、後述）より出力される信号のパターンを示しており、垂直同期信号の信号パターンは、垂直同期信号発生回路４２（図４参照、後述）より出力される信号のパターンを示している。また、タッチパネル１入力有効期間の信号パターンは、タッチパネル１に接続された状態のコントローラ２６からの検知位置情報をＣＰＵ２１が有効／無効とする期間を示しており、タッチパネル２入力有効期間の信号パターンは、タッチパネル２に接続された状態のコントローラ２７からの検知位置情報をＣＰＵ２１が有効／無効とする期間を示している。
【００３４】
はじめに、タッチパネル１及びタッチパネル２への走査位置を検知する方法の概要について説明する。表示端末１０では、表示装置Ｉ／Ｆ２５からの出力信号（垂直同期信号、水平同期信号、詳細は後述）の数をカウンタ４０がカウントし、このカウント値より走査位置を判断する。具体的には、カウンタ４０は、表示装置Ｉ／Ｆ２５からの出力信号（垂直同期信号、水平同期信号）の数をカウントし、ＣＰＵ２１に対して累計値を通知するために信号を出力する。一方ＣＰＵ２１では、カウンタ４０より受信した信号に基づいて、走査位置を判断する。
【００３５】
ここで、走査位置には電圧変位に伴う電磁ノイズが発生し、当該電磁ノイズがタッチパネルによる接触検知動作を誤動作させてしまう可能性がある。そこでＣＰＵ２１は、走査位置に配置されているタッチパネルに接続された状態のコントローラ（コントローラ２６又はコントローラ２７）からの検知位置情報を無効とする。これにより、電磁ノイズにより発生するタッチパネルの誤検知の影響を排除している。
【００３６】
図４に示すように、表示装置Ｉ／Ｆ２５は、ＣＰＵ２１と電気的に接続しており、ＣＰＵ２１より表示装置５の表示領域に表示させるデータである表示データを受信することが可能となっている。また表示装置Ｉ／Ｆ２５は、水平同期信号発生回路４１と垂直同期信号発生回路４２とを備えている。
【００３７】
これらの発生回路のうち、水平同期信号発生回路４１は、水平方向走査の開始時に表示装置Ｉ／Ｆ２５より出力されるパルス信号（「水平同期信号」という。）を生成する。また垂直同期信号発生回路４２は、垂直方向走査の開始時に表示装置Ｉ／Ｆ２５より出力されるパルス信号（「垂直同期信号」という。）を生成する。
【００３８】
ここで、表示装置５の表示領域には、既述のように水平方向にｎ本の信号線が配置されている。また水平同期信号は、最右端まで水平方向走査が終了し、一段下の信号線の最左端に走査位置が移動するタイミングで水平同期信号発生回路４１より出力される。従って図５に示すように、表示装置５の最上列から最下列まで走査が実行される間に、合計ｎ個の水平同期信号が水平同期信号発生回路４１より出力される。また、最下列の水平方向走査が終了し、新たに最上列から走査が開始されるタイミングで垂直同期信号発生回路４２より垂直同期信号が出力される。
【００３９】
そして図４に示すように、表示装置Ｉ／Ｆ２５の水平同期信号発生回路４１及び垂直同期信号発生回路４２は、表示装置５と電気的に接続した状態となっている。この状態で表示装置５は、上述の水平同期信号及び垂直同期信号を受信することにより、水平方向走査及び垂直方向走査のタイミングを調整して走査を実行する。これにより、表示装置５の表示領域に表示データの像が形成される。
【００４０】
また図４に示すように、表示装置Ｉ／Ｆ２５の水平同期信号発生回路４１及び垂直同期信号発生回路４２は、カウンタ４０と電気的に接続している。そして、表示装置Ｉ／Ｆ２５が出力した水平同期信号及び垂直同期信号を検出することが可能となっている。また、カウンタ４０はＣＰＵ２１と電気的に接続している。そして、カウンタ４０より出力される信号の情報をＣＰＵ２１にて検出することが可能となっている。
【００４１】
カウンタ４０では、受信した水平同期信号の数を累計し、累計値（「水平同期信号累計値」という。）が更新された時点でＣＰＵ２１に対して通知する。加えて、垂直同期信号を受信した場合にＣＰＵ２１に対して通知する（この通知を「垂直同期検出信号」）。さらに、垂直同期信号を受信したタイミングで、累計した水平同期信号累計値を「１」にてクリアリセットする。従って、これらの信号をカウンタ４０より検出するＣＰＵ２１は、走査位置を認識することが可能となる。
【００４２】
また図４に示すように、ＣＰＵ２１は、タッチパネル１と接続された状態のコントローラ２６、及びタッチパネル２と接続された状態のコントローラ２７と電気的に接続している。そして、コントローラ２６及びコントローラ２７より検知位置情報を受信することにより、タッチパネル３（タッチパネル１及びタッチパネル２）に物体が接触した場合に、その検知位置を認識できる状態となっている。
【００４３】
ここでＣＰＵ２１は、表示装置５の表示領域に配置されているタッチパネル３のうち、走査位置に配置されているタッチパネル（タッチパネル１又はタッチパネル２のいずれか）に接続された状態のコントローラからの検知位置情報を無効とする制御を行う。これにより、走査により走査位置に電磁波ノイズが発生し、この電磁波ノイズがタッチパネル（及びコントローラ）の接触検知に影響を及ぼして誤検知してしまうような場合であっても、表示端末１０全体として誤検知を認識してしまう状態を回避している。
【００４４】
具体的には、図５に示すように、ＣＰＵ２１がカウンタ４０より受信する水平同期信号累計値が「１〜（ｎ／２）」の範囲内である場合には、走査位置は、表示装置５の表示領域における上側半分の領域内、即ち、タッチパネル１が配置されている領域内に存在することになる。そこでＣＰＵ２１は、このような値の水平同期信号累計値をカウンタ４０より受信している間は、コントローラ２６（タッチパネル１に付属）からの検知位置情報を無効とし、コントローラ２７（タッチパネル２に付属）からの検知位置情報を有効とする（Ｔ１〜Ｔ２）。
【００４５】
一方、ＣＰＵ２１がカウンタ４０より受信する水平同期信号累計値が「（ｎ／２＋１）〜ｎ」の範囲内である場合には、走査位置は、表示装置５の表示領域における下半分の領域内、即ち、タッチパネル２が配置されている領域内に存在することになる。そこでＣＰＵ２１は、このような値の水平同期信号累計値をカウンタ４０より受信している間は、コントローラ２６（タッチパネル１に付属）からの検知位置情報を有効とし、コントローラ２７（タッチパネル２に付属）からの検知位置情報を無効とする（Ｔ２〜Ｔ３）。
【００４６】
以上説明したように、ＣＰＵ２１は、コントローラ２６及びコントローラ２７から受信する検知位置情報の有効／無効を切り替えることにより、表示装置５の表示領域における走査位置に配置されているタッチパネルへの接触の検知の有効／無効を切り替えることが可能となっている。これにより、走査位置に発生する電磁ノイズにより誤検知が発生した場合であっても、表示端末１０全体として誤検知を認識してしまう状態を回避している。
【００４７】
次に、表示装置５のＣＰＵ２１により実行される接触位置検出処理について、図６及び図７を参照して説明する。図６は、タッチパネル検出切替処理のフローチャートであり、図７は、タッチパネル検出処理のフローチャートである。なお、タッチパネル検出切替処理は、表示端末１０の電源が投入されている状態でＣＰＵ２１により常時起動されている処理である。またタッチパネル検出処理は、コントローラ２６及びコントローラ２７のいずれかより、検知位置情報の受信を開始した場合に、ＣＰＵ２１にて起動される処理である。
【００４８】
図６を参照し、タッチパネル検出切替処理について説明する。図６に示すようにタッチパネル検出切替処理では、ＣＰＵ２１は、カウンタ４０より垂直同期検出信号を受信したかどうかを判断し、垂直同期検出信号を受信するまで待機している（Ｓ１１：ＮＯ）。そして、表示装置Ｉ／Ｆ２５の垂直同期信号発生回路４２が垂直同期信号を出力したことに基づいて、カウンタ４０より垂直同期検出信号がＣＰＵ２１に対して出力され、これをＣＰＵ２１が受信した場合（Ｓ１１：ＹＥＳ）、ＣＰＵ２１は、最下列の水平方向走査が終了し、新たに最上列から水平方向走査が開始されるタイミングであると判断する。この場合、走査位置が表示装置５の表示領域のうちタッチパネル１が配置されている領域内に存在しているので、ＣＰＵ２１は、タッチパネル１への接触の検知を無効とするために、パネル１フラグに「０」を記憶する（Ｓ１３）。次いで、タッチパネル２への接触の検知を有効とするために、パネル２フラグに「１」を記憶する（Ｓ１５）。なおこれらのフラグ（パネル１フラグ、パネル２フラグ）は、後述する図７におけるタッチパネル検出処理において、コントローラ２６及びコントローラ２７からの検知位置情報を有効とするか無効とするかを判断するために使用される（詳細は後述する。）。
【００４９】
次いでＣＰＵ２１は、この状態でカウンタ４０より受信する水平同期信号累計値を判断する。そして、水平同期信号累計値が「１」以上「ｎ／２」以下である場合には（Ｓ１７：ＮＯ）、水平同期信号累計値が「ｎ／２＋１」となるまで待機する。なおこの状態では、走査位置は、表示装置５の表示領域の上半分、即ち、タッチパネル１が配置されている領域内にあるので、タッチパネル１への接触の検知は無効となり（パネル１フラグ：０）、タッチパネル２への接触の検知は有効となっている（パネル２フラグ：１）。これにより、走査位置に配置されているタッチパネル（タッチパネル１）に対して電磁ノイズが放射され、接触の誤検知が発生する場合であっても、ＣＰＵ２１はタッチパネルからの誤検知の情報を無効とすることができる。
【００５０】
そして、走査が継続して実行されて水平同期信号累計値がカウンタ４０にて加算され、水平同期信号累計値が「（ｎ／２）＋１」となった場合には（Ｓ１７：ＹＥＳ）、ＣＰＵ２１は、走査位置が、表示装置５の表示領域のうちタッチパネル２が配置されている領域内に移動したと判断する。そしてＣＰＵ２１は、タッチパネル１への接触の検知を有効とするためにパネル１フラグに「１」を記憶する（Ｓ１９）。次いで、タッチパネル２への接触の検知を無効とするためにパネル２フラグに「０」を記憶する（Ｓ２１）。
【００５１】
次いでＣＰＵ２１は、カウンタ４０より受信する水平同期信号累計値が「（ｎ／２）＋１」以上「ｎ」以下の値であるかどうかを判断し、この値の範囲外となるまで待機する（Ｓ２３：ＹＥＳ）。なおこの状態では、走査位置は、表示装置５の表示領域の下半分、即ち、タッチパネル２が配置されている領域内にあるので、タッチパネル１への接触の検知は有効となり（パネル１フラグ：１）、タッチパネル２への接触の検知は無効となっている（パネル２フラグ：０）。これにより、走査位置に配置されているタッチパネル（タッチパネル２）に対して電磁ノイズが放射され、接触の誤検知が発生する場合であっても、ＣＰＵ２１はタッチパネルからの誤検知の情報を無効とすることができる。
【００５２】
そして、走査が継続して実行され、表示装置５の表示領域の最下列の走査が終了すると、所定時間の経過の後、表示装置Ｉ／Ｆ２５の垂直同期信号発生回路より垂直同期信号が出力される。これをカウンタ４０が検出した場合、水平同期信号累計値を「１」にてクリアリセットし、垂直同期検出信号と共にＣＰＵ２１に通知する。
【００５３】
ＣＰＵ２１では、水平同期信号累計が継続して監視されている状態で、表示装置５の表示領域の最下列の走査が終了し、最上列の走査が開始されると、カウンタ４０より受信する水平同期信号累計値は「１」となる（Ｓ２３：ＮＯ）。ここでＣＰＵ２１は、タッチパネル２への接触の検知を有効とするためにパネル２フラグに「１」を記憶し（Ｓ２５）、Ｓ１１に戻る。Ｓ１１では、ＣＰＵ２１は、水平同期信号累計値とともにカウンタ４０より垂直同期検出信号を受けるので（Ｓ１１：ＹＥＳ）、Ｓ１３へと進み、上述の処理を繰り返す。
【００５４】
次に、図７を参照し、タッチパネル検出処理について説明する。コントローラ２６及びコントローラ２７のいずれかがタッチパネル３（タッチパネル１及びタッチパネル２）への接触開始を検知した場合、検知位置情報をＣＰＵ２１に対して送信する。この検知位置情報を受けたＣＰＵ２１は、パネル２フラグに記憶されている情報を参照し、タッチパネル２への接触の検知が有効となっているかを判断する（Ｓ１）。パネル２フラグに「０」が記憶されている場合には（Ｓ１：ＮＯ）、タッチパネル２への接触の検知が無効となっているので、そのまま待機する。
【００５５】
この状態で表示装置Ｉ／Ｆ２５による走査が進行し、走査位置が移動してパネル２フラグに「１」が記憶される（Ｓ１５、Ｓ２５、図６参照）と（Ｓ１：ＹＥＳ）、次いでＣＰＵ２１は、この状態でコントローラ２７（タッチパネル２に接続）より受信する検知位置情報を有効とし（Ｓ３）、検知位置情報に基づいてタッチパネル２の表面に物体が接触していると判断する。
【００５６】
次いでＣＰＵ２１は、パネル１フラグに記憶されている情報を参照し、タッチパネル１への接触の検知が有効となっているかを判断する（Ｓ５）。パネル１フラグに「１」が記憶されている場合には（Ｓ５：ＮＯ）、タッチパネル１への接触の検知が無効となっているので、そのまま待機する。
【００５７】
この状態で表示装置Ｉ／Ｆ２５による走査が進行し、走査位置が移動してパネル１フラグに「１」が記憶される（Ｓ２１、図６参照）と（Ｓ５：ＹＥＳ）、次いでＣＰＵ２１は、この状態でコントローラ２６より受信する検知位置情報を有効とし（Ｓ７）、検知位置情報に基づいてタッチパネル１の表面に物体が接触していると判断する。
【００５８】
以上説明したように、表示装置５の表示領域を走査するために使用される水平同期信号と垂直同期信号よりＣＰＵ２１が走査位置を判断し、走査位置に配置されているタッチパネルへの接触の検知を無効とする。これにより、走査位置に発生する電磁ノイズがタッチパネルに影響を及ぼして誤検知が発生した場合であっても、ＣＰＵ２１は検知位置情報を無効とするため、表示端末１０全体としてタッチパネル３への接触の誤検知を防止することが可能となる。
【００５９】
なお、走査により図３の表示装置５の表示領域に像を表示させるために、表示装置５を制御する表示装置Ｉ／Ｆ２５が、本発明の「走査手段」に相当し、タッチパネル３（タッチパネル１及びタッチパネル２）に対して物体が接触した場合に、ＣＰＵ２１に対して検知位置情報を送信するコントローラ２６及びコントローラ２７が、本発明の「検知手段」に相当する。また、図６のＳ１１、Ｓ１７、及びＳ２３において、カウンタ４０より受信する水平同期信号累計値に基づいて走査位置を判断する処理を行うＣＰＵ２１が、本発明の「パネル特定手段」に相当し、図７のＳ３、Ｓ７において、パネル１フラグ及びパネル２フラグに基づいてコントローラ２６及びコントローラ２７からの検知位置情報の有効／無効を切り替える処理を行うＣＰＵ２１が、本発明の「切替手段」に相当する。
【００６０】
なお、本発明は上記実施の形態に限定されるものではなく、種々の変更が可能である。
【００６１】
上述の実施の形態では、表示装置５の表示領域に２枚のタッチパネル３（タッチパネル１、タッチパネル２）を配置させる構成としたが、本発明はこの構成に限定されない。従って、３枚以上のタッチパネルを表示装置５の表示領域に配置させる構成としてもよい。また、３枚以上のタッチパネルを配置させる構成とした場合においては、走査位置に配置されているタッチパネルへの接触の検知を無効とすればよく、それ以外のタッチパネルへの接触の検知は有効としても無効としても構わない。
【００６２】
上述の実施の形態では、ＣＰＵ２１は、表示装置Ｉ／Ｆ２５から出力される水平同期信号と垂直同期信号とに基づいて走査位置を判断し、タッチパネル３への接触の検知の有効／無効を切り替える制御を行っているが、本発明はこの走査位置の判断方法に限定されない。従って例えば、走査開始時点からの経過時間を管理し、水平同期周波数及び垂直同期周波数と比較することによって、走査位置を判断してもよい。
【００６３】
上述の実施の形態では、カウンタ４０により、表示装置Ｉ／Ｆ２５から出力される水平同期信号を累計し、その結果をＣＰＵ２１に対して通知する構成としたが、本発明はこの構成に限定されない。従って、ＣＰＵ２１が直接水平同期信号を受信してその回数を累計する構成としてもよい。
【００６４】
なお、上述の実施の形態では、タッチパネルの形状は、表示装置５の表示領域を水平方向に分割した形状を有しているが、タッチパネルの形状はこの形状に限定されず、他の形状のタッチパネルを表示領域に並べた構成としても構わない。但し、走査位置が切り替わる速度は、水平方向走査と比較して垂直方向走査の方が遅いので、上述のタッチパネルの形状及び配置とすることにより、タッチパネルへの接触の検知の有効／無効を切り替える速度及び頻度を最小限に抑えることが可能となる。これにより、ＣＰＵ２１の処理負荷を軽減することが可能となる。
＜変形例１＞
【００６５】
変形例１におけるタッチパネルの有効／無効の切替方法の概要について説明する。変形例１では、表示装置Ｉ／Ｆ２５の制御によりタッチパネル３にて走査が進行し、走査位置が表示装置５の表示領域のうちタッチパネル１が配置されている領域からタッチパネル２が配置されている領域に移動する場合において、移動するタイミング（「移動タイミング」という。）の前後所定の期間は、タッチパネル１とタッチパネル２との両方への接触の検知を無効とする制御を行う。移動タイミングの前後では、走査位置と、接触検知が有効とされているタッチパネルとが近接する状態となるので、このような場合に両方のタッチパネルへの接触の検知を無効とすることによって、走査位置より発生する電磁ノイズがタッチパネルの誤検知を発生させ、表示端末１０全体として誤検知と認識してしまうことを防止する。
【００６６】
図８及び図９を参照して、本発明を具現化した表示端末１０の変形例１について説明する。図８は変形例１におけるタッチパネル３（タッチパネル１及びタッチパネル２）の有効／無効が切り替わる場合のタイミングチャートであり、図９は、タッチパネル検出切替処理のフローチャートである。なお、表示端末１０の物理的構成（図１）、電気的構成（図２）、電気的接続状態（図３）、及び、タッチパネル検出処理のフローチャート（図７）については、上述の実施の形態と同様であるので、以下においては説明を省略又は簡略している。
【００６７】
なお、図８における水平同期信号の信号パターンは、水平同期信号発生回路４１（図４参照、後述）より出力される信号のパターンを示しており、垂直同期信号の信号パターンは、垂直同期信号発生回路４２（図４参照、後述）より出力される信号のパターンを示している。また、タッチパネル１入力有効期間の信号パターンは、ＣＰＵ２１がタッチパネル１に接続された状態のコントローラ２６からの検知位置情報を有効とする期間を示しており、タッチパネル２入力有効期間の信号パターンは、ＣＰＵ２１がタッチパネル２に接続された状態のコントローラ２７からの検知位置情報を有効とする期間を示している。
【００６８】
図８を参照して、タッチパネル３（タッチパネル１及びタッチパネル２）の有効／無効が切り替わる場合におけるタイミングチャートについて説明する。図８に示すように、表示装置Ｉ／Ｆ２５の制御によりタッチパネル３にて走査が進行し、水平同期信号が水平同期信号発生回路４１（図４参照）より出力されて水平方向走査が順次行われる（Ｔ１１〜Ｔ１２）。なお、走査位置が表示装置５の表示領域における上側半分の領域内、即ち、タッチパネル１が配置されている領域内である場合には、タッチパネル１への接触の検知は無効とされ、タッチパネル２への接触の検知のみ有効とされた状態となっている。
【００６９】
ここで、カウンタ４０にて算出される水平同期信号累計値が「（ｎ／２）−３」となった場合（Ｔ１２）、接触の検知が有効となった状態のタッチパネル２に走査位置が近付いたので、タッチパネル２に対して、走査位置に発生する電磁ノイズが及ぼす影響が大きくなったものと判断する。そして、タッチパネル２への接触の検知を無効とする。なおこの状態では、タッチパネル１とタッチパネル２との両方への接触の検知が無効となっている（Ｔ１２〜Ｔ１３）。
【００７０】
この状態で走査が進行し、走査位置が表示装置５の表示領域のうちタッチパネル１が配置されている領域からタッチパネル２が配置されている領域に移動する（水平同期信号累計値が「ｎ／２」から「（ｎ／２）＋１」となる）。但し移動直後は走査位置とタッチパネル１との距離が近い状態であるため、タッチパネル１への接触の検知は有効としない。
【００７１】
そしてさらに走査が進行し、カウンタ４０にて算出される水平同期信号累計値が「（ｎ／２）＋３」となった場合、走査位置とタッチパネル１との距離は十分遠くなり、走査位置に発生する電磁ノイズがタッチパネル１に及ぼす影響が小さくなったものと判断する。そして、タッチパネル１への接触の検知を有効とする（Ｔ１３〜Ｔ１４）。以上のようにタッチパネルへの接触の検知の有効／無効を切り替えることによって、走査位置より発生する電磁ノイズがタッチパネル３に及ぼす影響を小さくすることが可能となる。
【００７２】
次に図９を参照し、タッチパネル検出切替処理のフローチャートについて説明する。図９に示すようにタッチパネル検出切替処理では、ＣＰＵ２１は、カウンタ４０より垂直同期検出信号を受信したかどうかを判断し、垂直同期検出信号を受信するまで待機している（Ｓ３１：ＮＯ）。そして、表示装置Ｉ／Ｆ２５の垂直同期信号発生回路４２が垂直同期信号を出力させたことに基づいて、カウンタ４０より垂直同期検出信号がＣＰＵ２１に対して出力され、これをＣＰＵ２１が受信した場合（Ｓ３１：ＹＥＳ）、ＣＰＵ２１は、最下列の水平方向走査が終了し、新たに最上列から水平方向走査が開始されるタイミングであると判断する。この場合、走査位置が表示装置５の表示領域のうちタッチパネル１が配置されている領域内に存在しているので、ＣＰＵ２１は、タッチパネル１への接触の検知を無効とするためにパネル１フラグに「０」を記憶する（Ｓ３３）。次いで、タッチパネル２への接触の検知を有効とするためにパネル２フラグに「１」を記憶する（Ｓ３５）。
【００７３】
次いでＣＰＵ２１は、この状態でカウンタ４０より受信する水平同期信号累計値を判断する。そして、水平同期信号累計値が「１」以上「（ｎ／２）−４」以下である場合には（Ｓ３７：ＮＯ）、水平同期信号累計値が「（ｎ／２）−３」となるまで待機する。なおこの状態では、走査位置は、表示装置５の表示領域の上半分、即ち、タッチパネル１が配置されている領域内にあるので、タッチパネル１への接触の検知は無効となり（パネル１フラグ：０）、タッチパネル２への接触の検知は有効となっている（パネル２フラグ：１）。
【００７４】
そして、走査が継続して実行されて水平同期信号累計値がカウンタ４０にて加算され、水平同期信号累計値が「（ｎ／２）−３」となった場合には（Ｓ３７：ＹＥＳ）、ＣＰＵ２１は、接触の検知が有効となっているタッチパネル２に走査位置が近付いたものと判断する。そして、タッチパネル２への接触の検知を無効とするためにパネル２フラグに「０」を記憶する（Ｓ３９）。なおこの状態では、タッチパネル１とタッチパネル２との両方への接触の検知は無効となっている（パネル１フラグ：０、パネル２フラグ：０）。
【００７５】
次いでＣＰＵ２１は、この状態でカウンタ４０より受信する水平同期信号累計値を判断する。そして、所定時間が経過し、水平同期信号累計値が「（ｎ／２）＋３」となるまで待機する（Ｓ４１：ＮＯ）。この間に、走査位置は表示装置５の表示領域のうちタッチパネル１が配置されている領域からタッチパネル２が配置されている領域に移動する（水平同期信号累計値が、「ｎ／２」から「（ｎ／２）＋１」となる。）。
【００７６】
さらにＣＰＵ２１は、走査が進行されて移動タイミングから所定時間が経過し、走査位置がタッチパネル１の配置位置から十分離れた位置となるまで待機する（Ｓ４１：ＮＯ）。そして水平同期信号累計値が「（ｎ／２）＋３」となった場合（Ｓ４１：ＹＥＳ）、所定時間が経過して走査位置とタッチパネル１との距離が十分遠くなり、走査位置に発生する電磁ノイズがタッチパネル１に及ぼす影響が小さくなったものと判断する。そして、タッチパネル１への接触の検知を有効とするためにパネル１フラグに「１」を記憶する（Ｓ４３）。
【００７７】
次いでＣＰＵ２１は、カウンタ４０より受信する水平同期信号累計値が「（ｎ／２）＋３」以上「ｎ」未満の値であるかどうかを判断し、この値の範囲外となるまで待機する（Ｓ４５：ＹＥＳ）。なおこの状態では、走査位置は、表示装置５の表示領域の下半分、即ち、タッチパネル２が配置されている領域内にあるので、タッチパネル１への接触の検知は有効となり（パネル１フラグ：１）、タッチパネル２への接触の検知は無効となっている（パネル２フラグ：０）。
【００７８】
そして、走査が継続して実行され、表示装置５の表示領域の最下列の走査が終了すると、所定時間の経過の後、表示装置Ｉ／Ｆ２５の垂直同期信号発生回路より垂直同期信号が出力される。これをカウンタ４０が検出した場合、水平同期信号累計値を「１」にてクリアリセットし、垂直同期検出信号と共にＣＰＵ２１に通知する。
【００７９】
ＣＰＵ２１では、水平同期信号累計が継続して監視されている状態で、表示装置５の表示領域の最下列の走査が終了し、最上列の走査が開始されると、カウンタ４０より受信する水平同期信号累計値が「１」となる（Ｓ４５：ＮＯ）。ここでＣＰＵ２１は、タッチパネル２への接触の検知を有効とするためにパネル２フラグに「１」を記憶し（Ｓ４７）、Ｓ３１に戻る。Ｓ３１では、ＣＰＵ２１は、水平同期信号とともにカウンタ４０より垂直同期信号を受けるので（Ｓ３１：ＹＥＳ）、Ｓ３３へと進み、上述の処理を繰り返す。
【００８０】
以上説明したように、走査位置とタッチパネルとの距離関係を判断し、双方間の距離が近いと判断した場合には、走査位置に発生する電磁ノイズがタッチパネルに及ぼす影響が大きくなっていると判断する。そして、走査位置がタッチパネルの配置位置となっていない場合であっても、タッチパネルへの接触の検知を無効とする。これにより、走査位置近傍に影響を及ぼす可能性のある電磁ノイズがタッチパネルに影響を及ぼして誤検知が発生した場合であっても、ＣＰＵ２１は検知位置情報を無効とするため、表示端末１０全体としてタッチパネル３への接触の誤検知を防止することが可能となる。
【００８１】
なお、図９のＳ４５において、水平同期信号累計値に基づいて、走査位置がタッチパネル２が配置されている領域に位置する状態となってからの経過時間を監視する処理を行うＣＰＵ２１が、本発明の「経過時間計測手段」に相当する。
【００８２】
なお、本発明は上記変形例１に限定されるものではなく、種々の変更が可能である。
【００８３】
上記変形例においては、カウンタ４０の水平同期信号累計値が「（ｎ／２）−３」〜「（ｎ／２）＋３」となっている場合に、移動タイミングから所定時間が経過していないと判断して、タッチパネル１及びタッチパネル２への接触の検知を無効としていたが、接触の検知を無効とする場合の水平同期信号累計値の閾値は上述に限定されず、他の値であっても構わない。
＜変形例２＞
【００８４】
本発明を具現化した表示端末の変形例２について説明する。変形例２における表示端末１０では、表示装置５の表示領域に設けられた表示素子として、書き替え時にのみ電気状態の変化を必要とし、書き替え後は、書き替え時の物理特性を維持する特性を有する素子を使用する。これにより表示端末１０は、表示中でも電力を消費しない、所謂電子ペーパーとして機能する。
【００８５】
さらに変形例２における表示端末１０では、ユーザによりスタイラス等を使用して表示領域に入力された場合に、入力情報を検出するとともに、スタイラスとタッチパネル３との接触部分に像が形成される機能（以下「手書き入力機能」という。）を備えている。表示端末１０では、タッチパネル１及びタッチパネル２にて検知した接触位置に所望の像が形成されるように走査を制御することにより、本機能を実現する。
【００８６】
変形例２におけるタッチパネル検出処理のフローチャートについて、図１０及び図１１を参照して説明する。図１０は、変形例２における手書き入力処理のフローチャートであり、図１１は、変形例２におけるタッチパネル検出切替処理である。なお、表示端末１０の物理的構成（図１）、電気的構成（図２）、電気的接続状態（図３）、及び、タッチパネル検出処理のフローチャート（図７）については、上述の実施の形態と同様であるので、以下においては説明を省略又は簡略している。また、図１１に示すタッチパネル検出切替処理は、図６に示すタッチパネル検出切替処理におけるＳ２５に続く処理部分のみが異なる構成となっている。従って以下においては重複部分は説明を簡略している。
【００８７】
図１０に示すように、変形例２における表示端末１０のＣＰＵ２１は、はじめに、ユーザより入力装置１３、入力装置１４、及びスタイラス等を介して、手書き入力機能が有効とされたかどうかを監視する（Ｓ５１）。ここで、手書き入力機能が無効となっている状態では（Ｓ５１：ＮＯ）、スタイラス等によるタッチパネルへの接触部に像を形成させる必要はない。従って、表示装置５の表示領域に表示中の情報を更新する場合にのみ（Ｓ６３：ＹＥＳ）、タッチパネル検出切替処理（Ｓ６５、図１１参照、後述）を実行する。タッチパネル検出切替処理では、表示領域の走査位置に応じてタッチパネル３への接触の有効／無効を切り替える。そして表示内容を更新した後はＳ５１に戻る。一方、表示装置５の表示領域に表示中の情報を更新する必要がない場合には（Ｓ６３：ＮＯ）、走査を実行する必要はないので、特段の処理を行うことなくＳ５１に移行する。
【００８８】
一方、手書き入力機能が有効とされたことを検出した場合には（Ｓ５１：ＹＥＳ）、次いでＣＰＵ２１は、コントローラ２６又はコントローラ２７からの検知位置情報を監視する（Ｓ５３）。ここで、タッチパネル１又はタッチパネル２に対するスタイラス等による接触がなされず、コントローラ２６及びコントローラ２７のいずれからも検知位置情報を受け付けなかった場合（Ｓ５３：ＮＯ）、表示内容を更新するための走査は実行されないので、タッチパネル３（タッチパネル１及びタッチパネル２）への接触の検知を有効とするために、パネル１フラグとパネル２フラグとの両方に「１」を記憶する（Ｓ６１）。そしてＳ５９に移行する。
【００８９】
一方、ＣＰＵ２１がコントローラ２６又はコントローラ２７より検知位置情報を受け付け、タッチパネル３（タッチパネル１又はタッチパネル２）に対してユーザがスタイラス等を接触させたと判断した場合（Ｓ５３：ＹＥＳ）、接触位置に像を形成させるために表示装置５の表示領域を走査する必要がある。そこでＣＰＵ２１は、受け付けた検知位置情報に基づいて像を形成させる場所を特定し、像を形成させた状態の表示データを表示装置Ｉ／Ｆ２５に対して送信する。そして表示装置Ｉ／Ｆ２５に対して、送信した表示データを表示装置５の表示領域に表示させるための走査を開始させる（Ｓ５５）。
【００９０】
次いでＣＰＵ２１は、この状態でタッチパネル検出切替処理を実行し、表示領域の走査位置に応じてタッチパネルへの接触の有効／無効を切り替える（Ｓ５７）。
【００９１】
図１１を参照して、タッチパネル検出切替処理について説明する。図１１に示すように、タッチパネル検出切替処理では、ＣＰＵ２１は、カウンタ４０より垂直同期検出信号を受信したかどうかを判断し、垂直同期検出信号を受信するまで待機する（Ｓ７１：ＮＯ）。
【００９２】
ここで、表示装置５の表示領域に表示中の情報が更新される場合、表示装置Ｉ／Ｆ２５の垂直同期信号発生回路４２より垂直同期信号が出力され、当該垂直同期信号を受信したカウンタ４０より、垂直同期検出信号がＣＰＵ２１に対して出力される。
【００９３】
この垂直同期検出信号をＣＰＵ２１が受信すると（Ｓ７１：ＹＥＳ）、ＣＰＵ２１は、最下列の水平方向走査が終了し、新たに最上列から水平方向走査が開始されるタイミングであると判断する。この場合、走査位置が表示装置５の表示領域のうちタッチパネル１が配置されている領域内に存在しているので、ＣＰＵ２１は、タッチパネル１への接触の検知を無効とするために、パネル１フラグに「０」を記憶する（Ｓ７３）。次いで、タッチパネル２への接触の検知を有効とするために、パネル２フラグに「１」を記憶する（Ｓ７５）。
【００９４】
次いでＣＰＵ２１は、この状態でカウンタ４０より受信する水平同期信号累計値を判断する。そして、水平同期信号累計値が「１」以上「ｎ／２」以下である場合には（Ｓ７７：ＮＯ）、水平同期信号累計値が「ｎ／２＋１」となるまで待機する。
【００９５】
そして、走査が継続して実行されて水平同期信号累計値がカウンタ４０にて加算され、水平同期信号累計値が「（ｎ／２）＋１」となった場合には（Ｓ７７：ＹＥＳ）、ＣＰＵ２１は、走査位置が、表示装置５の表示領域のうちタッチパネル２が配置されている領域内に移動したと判断する。そしてＣＰＵ２１は、タッチパネル１への接触の検知を有効とするためにパネル１フラグに「１」を記憶する（Ｓ７９）。次いで、タッチパネル２への接触の検知を無効とするためにパネル２フラグに「０」を記憶する（Ｓ８１）。
【００９６】
次いでＣＰＵ２１は、カウンタ４０より受信する水平同期信号累計値が「（ｎ／２）＋１」以上「ｎ」以下の値であるかどうかを判断し、この値の範囲外となるまで待機する（Ｓ８３：ＹＥＳ）。
【００９７】
そして、走査が継続して実行され、表示装置５の表示領域の最下列の走査が終了すると、所定時間の経過の後、表示装置Ｉ／Ｆ２５の垂直同期信号発生回路より垂直同期信号が出力される。これをカウンタ４０が検出した場合、水平同期信号累計値を「１」にてクリアリセットし、垂直同期検出信号と共にＣＰＵ２１に通知する。
【００９８】
ここでＣＰＵ２１では、水平同期信号累計が継続して監視されている状態で、表示装置５の表示領域の最下列の走査が終了し、最上列の走査が開始されると、カウンタ４０より受信する水平同期信号累計値は「１」となる（Ｓ８３：ＮＯ）。ここでＣＰＵ２１は、タッチパネル２への接触の検知を有効とするためにパネル２フラグに「１」を記憶し（Ｓ８５）、タッチパネル検出切替処理を終了し、タッチパネル検出処理（図１０参照）に戻る。
【００９９】
タッチパネル検出切替処理が終了し、表示装置Ｉ／Ｆ２５に送信した表示データにて表示内容が更新された後、ＣＰＵ２１は、図１０に示すように、Ｓ５９に移行する。Ｓ５９では、ＣＰＵ２１は、ユーザより入力装置１３、入力装置１４及びタッチパネルを介して、手書き入力機能が無効とされたかどうかを監視する（Ｓ５９）。ここで手書き入力機能が無効とされない場合には（Ｓ５９：ＮＯ）、Ｓ５３に戻って上述の処理を繰り返す。一方、手書き入力機能が無効とされた場合には（Ｓ５９：ＹＥＳ）、Ｓ５１に戻って、上述の処理を繰り返す。
【０１００】
以上説明したように、変形例２では、表示端末１０は手書き入力機能を有している。手書き入力機能では、タッチパネル３にて接触を検知した場合に、接触部分に像を形成させることが必要となるため、書き替え時以外は走査が不要な表示装置５であっても、接触検知時において走査を実行し表示内容を更新する必要がある。このような場合において、走査位置に発生する可能性のある電磁ノイズが、タッチパネル３による接触検知に影響を及ぼし、誤検知の発生要因となる可能性がある。しかしながら上述のように、走査位置に配置されているタッチパネルからの検知位置情報を無効とする制御を実行することによって、電磁ノイズによる誤検知の影響を抑止し、正確に接触位置を認識することが可能となる。
【０１０１】
なお、変形例２における表示装置５が、本発明の「不揮発性表示部」に相当し、変形例２における表示装置５を制御する表示装置Ｉ／Ｆ２５が、「更新走査手段」に相当する。
【図面の簡単な説明】
【０１０２】
【図１】表示端末１０の物理的構成を示す模式図である。
【図２】像を形成させるために実行される走査の概要を示す模式図である。
【図３】表示端末１０の電気的構成を示す模式図である。
【図４】表示端末１０の電気的接続状態を示す模式図である。
【図５】タッチパネルの有効／無効が切り替わる場合のタイミングチャートである。
【図６】タッチパネル検出切替処理のフローチャートである。
【図７】タッチパネル検出処理のフローチャートである。
【図８】変形例１におけるタッチパネルの有効／無効が切り替わる場合のタイミングチャートである。
【図９】変形例１におけるタッチパネル検出切替処理のフローチャートである。
【図１０】変形例２における手書き入力処理のフローチャートである。
【図１１】変形例２におけるタッチパネル検出切替処理のフローチャートである。
【符号の説明】
【０１０３】
１、２、３    タッチパネル
５    表示装置
１０  表示端末
２１  ＣＰＵ
２５  表示装置Ｉ／Ｆ
２６、２７    コントローラ
【図１】
2010002946.tif 000003
【図２】
2010002946.tif 000004
【図３】
2010002946.tif 000005
【図４】
2010002946.tif 000006
【図５】
2010002946.tif 000007
【図６】
2010002946.tif 000008
【図７】
2010002946.tif 000009
【図８】
2010002946.tif 000010
【図９】
2010002946.tif 000011
【図１０】
2010002946.tif 000012
【図１１】
2010002946.tif 000013